(57)【要約】【課題】破壊あるいは取り外しが特定の工具がない限り不能なものとし、給栓口や供給パイプの一部切断、取り外し口から逆圧をかけて配管、パイプライン内に異物、特に有害物（毒性物質）等を流入、拡散させる行為、事故を完全に未然防止することができる逆止弁及びその取付構造とする。【解決手段】逆止弁は少なくとも弁箱を高比強度材料で成形してあることとし、前記した高比強度材料として希少金属、特にチタンあるいはその合金を用いてあることとし、また、逆止弁の取付構造は流体の流通パイプと逆止弁のジョイント部分に異形をした操作部を有する締込要素を付加して使用してあることとし、前記した締込要素の周囲にはガ−ド手段を施してあることとし、前記した締込要素はボルトとし、ジョイント部分をその先端で不動状態に押圧固定してあることとし、前記したガ−ド手段はパイプ状のものとしたこととする。【選択図】　　　　　図３
2004044701.tif 000002
【特許請求の範囲】
【請求項１】
少なくとも弁箱を高比強度材料で成形してあることを特徴とする逆止弁。
【請求項２】
前記した高比強度材料として希少金属、特にチタンあるいはその合金を用いてあることを特徴とする請求項１に記載の逆止弁。
【請求項３】
流体の流通パイプと逆止弁のジョイント部分に異形をした操作部を有する締込要素を付加して使用してあることを特徴とする逆止弁の取付構造。
【請求項４】
前記した締込要素の周囲にはガ−ド手段を施してあることを特徴とする請求項３に記載の逆止弁の取付構造。
【請求項５】
前記した締込要素はボルトとし、ジョイント部分をその先端で不動状態に押圧固定してあることを特徴とする請求項３または請求項４に記載の逆止弁の取付構造。
【請求項６】
前記したガ−ド手段はパイプ状のものとしたことを特徴とする請求項４または請求項５に記載の逆止弁の取付構造。
【発明の詳細な説明】
【０００１】
【発明の属する技術分野】
本発明は逆止弁及びその取付構造に関し、主として上水道施設における給水設備やパイプラインと結ばれる都市ガス供給設備等の公共設備に配設される逆止弁及びその取付構造に関する。
【０００２】
【発明の背景】
一般的に上水道施設の給水設備は貯水池から浄水化設備等種々の施設を経由して配水管から分岐されて家屋、工場等に設置される給水栓（蛇口）まで送水される。また、都市ガス供給設備にあっても工場で生産されたガスはパイプラインを介し、そこから分岐されることで家屋、工場等に設置されるガス給栓に送られている。
【０００３】
上水道や都市ガスの送出には格別な高層建築がポンプを介在するほかは加圧が基本として用いられ、配管、パイプラインから各家屋内等の給栓までの間には汚物、異物等の混入を防止するために逆流を防止する手段をとることが義務付けられてはいる。
【０００４】
【発明が解決しようとする課題】
しかしながら、現実的には水やガスの送圧力を上まわる高圧を給栓口や供給パイプの端口に与えた場合、水やガスを押し戻し、基となる配管、パイプライン内に異物を混入し、有害物をそのラインを用いて無差別に拡散させることも不可能とはいえない状況となっている。かかる現象は故意的な事態が想定され、過激なテロ活動が実行され得る大きな危険性をはらんでいるといえる。
【０００５】
【発明の目的】
そこで、本発明は上記した実情、問題点に着目してなされたもので、かかる問題点を解消して、破壊あるいは取り外しが特定の工具がない限り不能なものとし、給栓口や供給パイプの一部切断、取り外し口から逆圧をかけて配管、パイプライン内に異物、特に有害物（毒性物質）等を流入、拡散させる行為、事故を完全に未然防止することができる逆止弁及びその取付構造を提供することを目的としている。
【０００６】
【課題を解決するための手段】
この目的を達成するために、本発明に係る逆止弁は少なくとも弁箱を高比強度材料で成形してあることを特徴とし、前記した高比強度材料として希少金属、特にチタンあるいはその合金を用いてあることを特徴としている。
【０００７】
また、本発明に係る逆止弁の取付構造は流体の流通パイプと逆止弁のジョイント部分に異形をした操作部を有する締込要素を付加して使用してあることを特徴とし、前記した締込要素の周囲にはガ−ド手段を施してあることを特徴とし、前記した締込要素はボルトとし、ジョイント部分をその先端で不動状態に押圧固定してあることを特徴とし、前記したガ−ド手段はパイプ状のものとしたことを特徴としている。
【０００８】
【作用】
かかる構成としたことによって取り付け位置、場所、環境を問うことなく、通常にあって逆止弁自体を破壊したり、取り外してしまう作業は不可能となり、その逆止弁が介在されるパイプを用いて異物、有害物を配管やパイプラインの基本的な配送部分へ逆送する犯罪行為や事故は完全に未然防止されることとなり、公共的な安全性が確保されることになるのである。
【０００９】
【発明の実施の形態】
次に、本発明の実施の形態の一例を図面を参照して説明する。図１は本発明を実施した逆止弁の取り付け位置の一例を示す図、図２は同じく取り付け構造を示す図、図３は同じく詳細を示す図、図４は同じく締め込み手段を示す平面図である。
【００１０】
本実施の形態は上水道施設における給水設備を例として採用したもので、これらの図にあって１は給水パイプを示している。この給水パイプ１は特に図示しない配管（本管）から分岐栓を介して分岐され、最終的に家屋内等に設置される給水栓（蛇口）に接続されるものとなっている。
【００１１】
また、図中２は地表から開閉可能な蓋体３を上面開口に取り付けたメ−タ−ボックスであり、このメ−タ−ボックス２内にあって給水パイプ１には給水メ−タ４が仕切弁５を介して組み込まれている。この給水メ−タ４には水の使用量等に応じて種々のものが用意されているが、ここではその給水メ−タ４の種類を問うことはない。
【００１２】
本実施の形態にあっては既設の給水パイプ１に対して工事が行ない易いようにこのメ−タ−ボックス２内にあって給水メ−タ４の直の二次側に逆止弁６が組み込まれている。この逆止弁６は少なくとも弁箱が高比強度材料、例えばチタンやチタン合金を用いて成形されており、通例の工具をもってしては容易に破壊することができないものとされている。
【００１３】
この逆止弁６にもその弁体の開閉方式として種々のものが知られているが、例えばスイング弁やバタフライ弁を用いる場合には、強力な逆圧に対しても耐えるようにその弁体も高比強度材料で成形されることが望ましく、その弁体の周縁にも高比強度材料もしくは高比強度材料を芯として用いた止水リングを装備させることが望ましい。
【００１４】
特に、給水メ−タ４との直接的な接続にはこだわらないが、この逆止弁６の給水パイプ１へのジョイント組み込みに際しては、逆止弁６自体の破壊防止もさることながら、逆止弁６自体の給水パイプ１からの取り外しも防止しなければならない。
【００１５】
そこで、本実施の形態にあって逆止弁６の組み付けに関し、逆止弁６の接続管６ａ部分に特殊なカプラ−７を使用することとし、格別に図示はしないが、このカプラ−７に基づく接続及び締め込みは逆止弁６の一次側、二次側の両方においてなされることが望ましい。
【００１６】
この逆止弁６のカプラ−７を用いた組み込み（取り付け）構造は接続管６ａの端面に形成されたフランジ６ｂと給水パイプ１の端面に形成されたフランジ１ａとをパッキン８を挟圧保持させて当接させ、そのフランジ１ａ・６ｂをカプラ−７で強固に締め付けする。
【００１７】
具体的には逆止弁６の一次側（給水メ−タ４側）に用いた例としている図３に示すように給水パイプ１の端部、それもフランジ１ａ近くに形成されたネジ部１ｃに対し、カプラ−７の内面の螺溝を螺合させ締めることでフランジ１ａ・６ｂの当接力を強固なものとしている。
【００１８】
また、カプラ−７には前記ネジ部１ｃへ連通する貫通ネジ孔７ａが形成され、その貫通ネジ孔７ａの周囲を囲むようにガ−ドパイプ部９が一体的に立設されたものとされている。
【００１９】
このガ−ドパイプ部９の開口部から、締め込み用の特殊ネジ１０が挿し込まれ、ネジ付けられて、その先端でネジ部１ａを押圧し、カプラ−７自体の回転を止着ロックすることで、そのカプラ−７の離脱、強いては逆止弁６の取り外しを防止することとしている。
【００２０】
そして、特殊ネジ１０の頭部、即ち操作受け部１１は異形なものとされ、この異形にフィットする特殊な口形をしたレンチを使用することで作業が実行される。従って、この特殊なレンチがない限り、特殊ネジ１０を外すことは不可能である。
【００２１】
また、本実施の形態にあって操作受け部１１を突出部として、レンチの凹部分をこの突出した異形に合致するものとしているが、この操作受け部１１の異形を凹んだものとし、レンチに代え、その異形の凹みに合致する先端形状を有するドライバ−様の工具を用いることでも目的は達成することができる。加えて、特殊ネジ１０に対し、キャップカバ−等を被冠させ、特殊工具のみによって外せるようにすると、ガ−ドパイプ部９内に棒等を入れ、強く叩き、押したりすることも防止できる。
【００２２】
本実施の形態は上記のように構成され、既存設備に対する付加工事の容易性から給水メ−タ４の近傍へ逆止弁６の取り付けをするものとしたが、アスファルト等で舗装された路面下にあって実行することができれば、より一層逆止弁６その他の破壊や取り外しは困難なものとできる。さらには上水道の給水設備を例として説明したが、これは都市ガスの供給設備についても同様に実施することができるものである。
【００２３】
【発明の効果】
本発明に係る逆止弁及びその取付構造は上述のように構成され、実行される。そのため、上水や都市ガスの供給ラインを用いて異物、有害物を配管やパイプラインに対して逆圧送する行為は未然に防止され、無差別テロ等を目的としての逆止弁の破壊や取り外し行為も未然に完全に防止することができることとなる。加えて、上水道や都市ガス等に限らず、種々の化学プラント等においても本発明を実施することで不測の事故や人的な犯罪行為を防止することができることとなる。
【図面の簡単な説明】
【図１】本発明を実施した逆止弁の取り付け位置の一例を示す図である。
【図２】取り付け構造を示す図である。
【図３】詳細を示す図である。
【図４】締め込み手段を示す平面図である。
【符号の説明】
１　給水パイプ
１ａ　フランジ
１ｃ　ネジ部
２　メ−タ−ボックス
３　蓋体
４　給水メ−タ
５　仕切弁
６　逆止弁
６ａ　接続管
６ｂ　フランジ
７　カプラ−
７ａ　貫通ネジ孔
８　パッキン
９　ガ−ドパイプ
１０　特殊ネジ
１１　操作受け部
【図１】
2004044701.tif 000003
【図２】
2004044701.tif 000004
【図３】
2004044701.tif 000005
【図４】
2004044701.tif 000006